(57)【要約】【課題】床面の隅や壁面の隅を洗浄することが可能であり、且つ、床面や壁面等の洗浄で跳ね返った洗浄液や除去された汚れ等の飛散を抑制することが可能な高圧洗浄機の噴射ノズルを覆う飛散抑制カバーを提供する。【解決手段】高圧洗浄機の噴射ノズルを覆う飛散抑制カバーであって、可撓性を有する素材を含み、手元側と遠位側を有する本体部と、該本体部の遠位側に配置された枠体と、を備える。【選択図】図１
2018051260.tif 000002
【特許請求の範囲】
【請求項１】
高圧洗浄機の噴射ノズルを覆う飛散抑制カバーであって、
可撓性を有する素材を含み、手元側と遠位側を有する本体部と、
前記本体部の遠位側に配置された枠体と、を備えていることを特徴とする飛散抑制カバー。
【請求項２】
前記本体部は、前記噴射ノズルの手元側より遠位側に向けて蛇腹部を有している請求項１に記載の飛散抑制カバー。
【請求項３】
前記蛇腹部は、前記噴射ノズルの手元側より遠位側に向けて段階的に拡径している請求項２に記載の飛散抑制カバー。
【請求項４】
前記本体部は、前記可撓性を有する素材をこれよりも剛性の高い素材で挟持する構成を含む請求項１〜３のいずれかに記載の飛散抑制カバー。
【請求項５】
前記本体部は、前記可撓性を有する素材が剛性の高い素材で挟持される部位と、該可撓性を有する素材のみの部位とが手元側から遠位側に向かって交互に存在する構成を含む請求項４に記載の飛散抑制カバー。
【請求項６】
前記本体部は、前記手元側に前記噴射ノズルの取付け口を備え、該噴射ノズルは前記遠位側から前記手元側に向かって該取付け口にねじ止めされる請求項１〜５のいずれかに記載の飛散抑制カバー。
【請求項７】
前記本体部は、塩化ビニル樹脂からなる請求項１〜６のいずれかに記載の飛散抑制カバー。
【請求項８】
前記枠体は、ＡＢＳ（アクリロニトリルブタジエンスチレン共重合体）樹脂からなる請求項１〜７のいずれかに記載の飛散抑制カバー。
【請求項９】
前記本体部に水抜き孔を有する請求項１〜８のいずれかに記載の飛散抑制カバー。
【請求項１０】
前記枠体は、支柱に接続されている請求項１〜９のいずれかに記載の飛散抑制カバー。
【請求項１１】
前記枠体は、把手を備える請求項１〜１０のいずれかに記載の飛散抑制カバー。
【発明の詳細な説明】
【技術分野】
【０００１】
本発明は、高圧洗浄機の噴射ノズルを覆う飛散抑制カバーに関する。
【背景技術】
【０００２】
従来、外構の底面や建物の外壁面等を洗浄する場合、高圧洗浄機による洗浄液を高圧で噴射させて汚れ等を除去する方法が用いられている。
【０００３】
高圧洗浄機で外構の底面や建物の外壁面等の汚れを除去する場合、底面や外壁面で跳ね返った洗浄液や除去された汚れ等が周囲に飛び散ったりすることから、周辺の環境や周辺の住民等に対して十分な配慮をする必要があった。また、作業者は、作業者自身の衣服を汚すことのないように十分に注意して作業を行う必要があった。
【０００４】
これらを改善する方法として、底面や外壁面で跳ね返った洗浄液や除去された汚れ等の付着物の飛散を抑えることができるように、高圧洗浄機に防護カバーを取付けることが知られている。例えば、特許文献１には、噴射ノズルに取付けられて、該噴射ノズルの軸線を中心として開閉可能であるとともに、開閉角度の調整が可能であり、かつ、開いた状態の内面側で対象物の表面で跳ね返った洗浄液や汚れ等の付着物を受止め可能なカバー本体と、該カバー本体を開閉させる開閉手段とを備える防護カバーが開示されている。
【０００５】
特許文献１に記載された防護カバーによれば、開閉手段の操作により、カバー本体を開いた状態とすることにより、カバー本体の内面側で対象物の表面で跳ね返った洗浄液や、対象物の表面から除去された汚れ等の付着物を受け取ることができ、それらが周辺に飛び散って、周辺を汚したり、作業者の衣服に付着して衣服を汚したりするのを防ぐことができるとされている。
【０００６】
また、特許文献２には、高圧洗浄機のノズル部に着脱自在に取付可能な基端取付部と、該基端取付部より前方へ向けて漸次拡径させて筒状に形成した飛散防止具本体と、該飛散防止具本体の先端周縁部に着脱自在に取付けた汚れ落し用の清掃具とから構成した水煙等飛散防止具が開示されている。
【０００７】
特許文献２に記載された水煙等飛散防止具によれば、高圧洗浄機のノズル部と、洗浄対象物である建築物の壁面等との間に、前方へ向けて漸次拡径させて筒状に形成した飛散防止具本体を介在させて、ノズル部から放出されて壁面等にあたる洗浄水の周囲を囲むことができるために、放出した洗浄水から飛散する水煙や壁面等にあたって跳ね返る洗浄水や壁面等から剥がれた汚染物が周囲に飛散するのを防止することができるとされている。
【先行技術文献】
【特許文献】
【０００８】
【特許文献１】特開２０１２−２２３７０３号公報
【特許文献２】特開平５−２２８０９１号公報
【発明の概要】
【発明が解決しようとする課題】
【０００９】
特許文献１に記載された防護カバーや、特許文献２に記載された水煙等飛散防止具を用いた場合、いずれも洗浄ノズルが防護カバーに固定されているため、該洗浄ノズルが向いた方向に洗浄が集中していた。したがって、洗浄ノズルが向いた方向においては容易に汚れ等を落すことが可能であるが、洗浄ノズルが向かない方向（例えば、床面や壁面等の隅）を洗浄することは困難であった。
【００１０】
本発明は上記の事情に着目してなされたものであって、その目的は、床面や壁面等の隅を洗浄することが可能であり、且つ、床面や壁面等の洗浄で跳ね返った洗浄液や除去された汚れ等の飛散を抑制することが可能な高圧洗浄機の噴射ノズルを覆う飛散抑制カバーを提供することにある。
【課題を解決するための手段】
【００１１】
上記課題を解決し得た本発明の飛散抑制カバーは、高圧洗浄機の噴射ノズルを覆う飛散抑制カバーであって、可撓性を有する素材を含み、手元側と遠位側を有する本体部と、前記本体部の遠位側に配置された枠体と、を備えている点に特徴を有する。
【００１２】
本発明の好ましい実施形態において、前記飛散抑制カバーは、前記本体部が前記噴射ノズルの手元側より遠位側に向けて蛇腹部を有していることが好ましい。
【００１３】
本発明の好ましい実施形態において、本発明の飛散抑制カバーは、前記蛇腹部が前記噴射ノズルの手元側より遠位側に向けて段階的に拡径していることが好ましい。
【００１４】
本発明の好ましい実施形態において、本発明の飛散抑制カバーは、前記本体部が前記可撓性を有する素材をこれよりも剛性の高い素材で挟持する構成を含むことが好ましい。
【００１５】
本発明の好ましい実施形態において、本発明の飛散抑制カバーは、前記本体部が前記可撓性を有する素材が剛性の高い素材で挟持される部位と、該可撓性を有する素材のみの部位とが手元側から遠位側に向かって交互に存在する構成を含むことが好ましい。
【００１６】
本発明の好ましい実施形態において、本発明の飛散抑制カバーは、前記本体部が前記手元側に前記噴射ノズルの取付け口を備え、該噴射ノズルは前記遠位側から前記手元側に向かって該取付け口にねじ止めされることが好ましい。
【００１７】
本発明の好ましい実施形態において、本発明の飛散抑制カバーは、前記本体部が塩化ビニル樹脂からなることが好ましく、前記枠体は、ＡＢＳ（アクリロニトリルブタジエンスチレン共重合体）樹脂からなることが好ましい。
【００１８】
本発明の好ましい実施形態において、本発明の飛散抑制カバーは、前記本体部が水抜き孔を有することが好ましく、前記枠体は、支柱に接続されていることが好ましい。
【００１９】
本発明の好ましい実施形態において、本発明の飛散抑制カバーは、前記枠体が把手を備えることが好ましい。
【発明の効果】
【００２０】
本発明の飛散抑制カバーは、可撓性を有する素材を含み、手元側と遠位側を有する本体部と、該本体部の遠位側に配置された枠体と、を備えている構成である。つまり、可撓性を有する素材を含む本体部が変形可能であることから、当該カバーを用いて外壁面等を高圧洗浄する際には、飛散抑制カバーに対する洗浄ノズルの方向（角度）を変えることができる。したがって、これまで洗浄することが困難であった床面の隅や壁面の隅を洗浄することができると共に、床面や壁面等で跳ね返った洗浄液や除去された汚れ等の飛散を抑制することが可能となる。
【図面の簡単な説明】
【００２１】
【図１】本発明の実施の形態に係る飛散抑制カバー、該カバーに取付けられる噴射ノズル、及び高圧洗浄機の一例を示した概略図である。
【図２】本発明の実施の形態に係る飛散抑制カバーの一例を示した正面図である。（ａ）は、本体部を拡げて最大にした場合、（ｂ）は、本体部を一部縮めた場合、（ｃ）は、本体部をさらに一部縮めた場合、（ｄ）は、本体部を縮めて最小にした場合である。
【図３】本発明の実施の形態に係る飛散抑制カバーの本体部の断面拡大図である。（ａ）は、可撓性を有する素材をこれよりも剛性の高い素材で挟持する構成、（ｂ）は、可撓性を有する素材が剛性の高い素材で挟持される部位と、可撓性を有する素材のみの部位とが手元側から遠位側に向かって交互に存在する構成の一例である。
【図４】本発明の実施の形態に係る飛散抑制カバーの一例を示した平面図である。
【図５】本発明の実施の形態に係る飛散抑制カバーを用いた高圧洗浄作業の一例を示した概略図である。
【発明を実施するための形態】
【００２２】
以下、図面を参照しつつ、より詳細な本発明の実施の形態について説明するが、本発明は以下の実施の形態のみに限定されず、前・後記の趣旨に適合し得る範囲で変更を加えて実施することも可能であり、それらはいずれも本発明の技術的範囲に包含される。以下の説明では、同一の部品には同一の符号を付してある。
【００２３】
図１に、本発明の飛散抑制カバー、該カバーに取付けられる噴射ノズル、及び高圧洗浄機の概要の一例を示す。本発明の実施の形態に係る飛散抑制カバー１は、高圧洗浄機１１の噴射ノズル１２を覆うものであり、該高圧洗浄機１１の噴射ノズル１２から洗浄液１３が噴射され、外壁面２１の表面で跳ね返った洗浄液１３や、外壁面２１の表面から除去された汚れ等の付着物の飛散を抑制するものである。
【００２４】
図１に示すように、高圧洗浄機１１は、水、又は水と洗浄剤との混合液等を含む洗浄液１３を高圧で吐出させるポンプ１４と、該ポンプ１４の吐出口１４Ａに高圧ホース１５を繋いで接続されるノズルガン１７を備えており、噴射ノズル１２は、ノズルガン１７の先端部に設けられている。また、ノズルガン１７の基端部には、握り部１８が設けられており、高圧ホース１５を繋いでポンプ１４の吐出口１４Ａに接続される。ポンプ１４の給水口１４Ｂには、給水ホース１６を繋いで水道等の給水源１９に接続されている。
【００２５】
図１に示すように、本発明の飛散抑制カバー１は、本体部２と枠体３を備える。本体部２は、噴射ノズル１２が取付けられる側（以下、「手元側」という）と、その反対側（以下、「遠位側」という）を有する。また、本体部２は可撓性を有する素材を含むものである。この構成により、当該飛散抑制カバー１を用いて外壁面２１等を高圧洗浄する際には、枠体３を外壁面２１等に固定していても、飛散抑制カバー１に対する噴射ノズル１２の向きを変えることができ、外壁面２１等の隅を洗浄することができる。さらに、枠体３は、本体部２の遠位側に配置されている。このように配置することで、高圧洗浄機１１を稼動させた際に、水圧等の影響により飛散抑制カバー１が動いたり、外壁面２１等から外れたりして洗浄作業が困難になるのを防ぐことができる。
【００２６】
次に、本発明の飛散抑制カバーについて詳細に説明する。
【００２７】
図２に、本発明の飛散抑制カバー１の正面図の一例を示す。図２（ａ）は、本体部２を伸ばして最大にした場合、図２（ｂ）は、本体部２を一部縮めた場合、図２（ｃ）は、本体部２をさらに一部縮めた場合、図２（ｄ）は、本体部２を縮めて最小にした場合の正面図の一例である。
【００２８】
図２（ａ）〜図２（ｄ）に示すように、本体部２は手元側より遠位側に向けて蛇腹部４を有していることが好ましい。このように構成することで、本体部２は手元側から遠位側に向けて所望の長さに伸縮させることができる。したがって、図１において、飛散抑制カバー１を用いて外壁面２１等を高圧洗浄する際には、噴射ノズル１２から外壁面２１までの距離を適宜変えることができる。
【００２９】
また、図２（ａ）〜図２（ｄ）に示すように、本体部２は噴射ノズルの手元側より遠位側に向けて段階的に拡径していることが好ましい。このように構成することで、本体部２の伸縮をより一層容易に行うことができる。また、外壁面等の表面で跳ね返った洗浄液や、除去された汚れ等の付着物の飛散を包囲することができることから、跳ね返った洗浄液や除去された汚れ等の飛散を抑制する効果をより一層高めることができる。
【００３０】
図３に、本発明の飛散抑制カバーの本体部２の断面拡大図を示す。図３（ａ）に示すように、本体部２は、可撓性を有する素材２Ａをこれよりも剛性の高い素材２Ｂで挟持する構成を含むことが好ましい。このような構成にすることで可撓性を有する素材２Ａを補強することができる。
【００３１】
可撓性を有する素材２Ａは、熱可塑性樹脂が好ましく、より好ましくは塩化ビニル樹脂が良い。厚みについては、０．０５ｍｍ以上が好ましく、より好ましくは０．０７ｍｍ以上、さらに好ましくは０．１ｍｍ以上とするのが良く、５ｍｍ以下が好ましく、より好ましくは４ｍｍ以下、さらに好ましくは３ｍｍ以下とするのが良い。また、可撓性を有する素材２Ａよりも剛性の高い素材２Ｂとしては、例えば、ポリカーボネートを用いることができる。厚みについては、０．５ｍｍ以上が好ましく、より好ましくは０．７ｍｍ以上、さらに好ましくは１ｍｍ以上とするのが良く、５ｍｍ以下が好ましく、より好ましくは４ｍｍ以下、さらに好ましくは３ｍｍ以下とするのが良い。上記素材２Ａ、及び２Ｂをこのような構成にすることにより、飛散抑制カバーの本体部２の剛性を維持しつつ、変形させることができる。当該素材２Ａを当該素材２Ｂで挟持することについては、例えば、市販の厚さ０．１ｍｍの塩化ビニル樹脂を厚さ１．５ｍｍのポリカーボネート板２枚により挟んだ後、市販のポリエチレン製のホック鋲で押さえ込む方法を用いることができる。
【００３２】
また、図３（ｂ）に示すように、本体部２は、可撓性を有する素材２Ａが剛性の高い素材２Ｂで挟持される部位２Ｘと、該可撓性を有する素材２Ａのみの部位２Ｙとが手元側から遠位側に向かって交互に存在する構成を含むことが好ましい。このように構成することで、可撓性を有する素材２Ａの柔軟性を保持しつつ、本体部２全体の素材強度を適切に保つことができる。
【００３３】
枠体３の形状としては、長方形、正方形、円形が好ましく、より好ましくは正方形、長方形、さらに好ましくは正方形が良い。枠体３の素材としては熱可塑性樹脂が好ましく、より好ましくはＡＢＳ（アクリロニトリルブタジエンスチレン共重合体）樹脂が良い。このような素材を用いることで、枠体３の耐衝撃性等の機械的強度を向上させることができる。厚さについては、０．５ｍｍ〜５ｍｍが好ましく、より好ましくは０．７ｍｍ〜４ｍｍ、さらに好ましくは１ｍｍ〜３ｍｍが良い。なお、枠体３の遠位側には刷毛を接続させることが好ましい。この構成により、枠体３と外壁面等とが直接接触して傷等が発生するのを防止することができ、また、枠体３と外壁面等との隙間から洗浄液や外壁面等に付着した汚れが漏れて飛散するのを防止することができる。刷毛については、例えばナイロン、擦り糸を用いることができる。
【００３４】
図４に、本発明の飛散抑制カバーの平面図の一例を示す。図４に示すように、本体部２の手元側には噴射ノズルの取付け口５を備えており、該噴射ノズルは遠位側から手元側に向かって該取付け口５にねじ止めされることが好ましい。このように構成することで、噴射ノズルの交換を容易に行うことができる。ねじ止めに関しては、例えば、スクリュー式のネジを用いることが好ましく、ワンタッチ着脱式のコネクタを用いることがより好ましい。
【００３５】
また、図１に示すように、高圧洗浄機１１による洗浄は常に洗浄液１３を流しながら行うため、飛散抑制カバー１内には逐次洗浄液１３が貯まることになる。この洗浄液１３を除去する観点から、本体部２に水抜き穴を設けることが好ましい。水抜き穴は、単数であっても複数であっても良く、取り付け箇所についても適宜設定することができる。また、本体部２以外に、枠体３に取り付けても良い。
【００３６】
図５に、本発明の飛散抑制カバー１を用いた高圧洗浄作業の一例を示す。作業者３１は、ノズルガン１７を片手に持ち、枠体３を外壁面２１の所定の箇所に押し当てて作業を行い、さらに枠体３を上下左右に移動させて作業を行う。図５に示すように、本発明の飛散抑制カバー１の枠体３は、支柱６に接続されていることが好ましい。また、枠体３は、把手３Ａを備えていることが好ましい。このように構成することで、作業者３１がノズルガン１７を片手に持ち、もう一方の片手に把手３Ａを持ちながら枠体３を外壁面２１の所定の箇所に固定させて高圧洗浄する作業を容易に行うことができる。さらに、枠体３を移動させて隣接する箇所を作業する際には、作業者３１は枠体３を所定の箇所に容易に移動させることができる。なお、支柱６の下部にキャスター７を備えても良く、このように構成することで作業箇所の移動をスムーズに行うことができる。また、把手３Ａは、例えばアルミニウム製の素材からなるものを用いることができ、飛散抑制カバー１の全体重量を過剰に増やすことなく高圧洗浄作業を容易に行うことができる。
【００３７】
なお、上記の実施形態における飛散抑制カバーの形状は角錐台を例にして説明したが、当該形状は洗浄対象物の状況（垂直面、水平面、斜面等）に応じて適宜変更することが可能であり、例えば、正四角錐台、長四角錐台、三角錐台、円錐台等の構成も可能である。錐台形状の飛散抑制カバーを構成することで、外壁面等の表面で跳ね返った洗浄液や、除去された汚れ等の付着物の飛散を包囲することができ、該洗浄液や該汚れ等の飛散を抑制する効果を高めることができる。
【００３８】
本発明の飛散抑制カバーを用いることにより、床面の隅や壁面の隅を洗浄することが可能であり、且つ、床面や壁面等の洗浄で跳ね返った洗浄液や除去された汚れ等の飛散を抑制することができる。
【符号の説明】
【００３９】
１      飛散抑制カバー
２      本体部
２Ａ    可撓性を有する素材
２Ｂ    剛性の高い素材
２Ｘ    可撓性を有する素材２Ａが剛性の高い素材２Ｂで挟持される部位
２Ｙ    可撓性を有する素材２Ａのみの部位
３      枠体
３Ａ    把手
４      蛇腹部
５      噴射ノズル取付け口
６      支柱
７      キャスター
１１    高圧洗浄機
１２    噴射ノズル
１３    洗浄液
１４    ポンプ
１４Ａ  吐出口
１４Ｂ  給水口
１５    高圧ホース
１６    給水ホース
１７    ノズルガン
１８    握り部
１９    給水源
２１    外壁面
３１    作業者
【図１】
2018051260.tif 000003
【図２】
2018051260.tif 000004
【図３】
2018051260.tif 000005
【図４】
2018051260.tif 000006
【図５】
2018051260.tif 000007